(57)【要約】【課題】害虫の捕獲性能（捕獲性）及び使い勝手に優れるとともに、使用可能な有効期間が長く、使用範囲や期間に制限がなく、害虫を広範囲から呼び寄せてしまうことのない害虫捕獲器を提供する。【解決手段】本発明の害虫捕獲器は、害虫が内部に侵入可能な容器１と、容器１の内部に侵入した害虫を捕捉可能な捕捉手段２とを備えた害虫捕獲器１０であって、容器１を、板状の基体１１と、基体１１の一の表面上に配設され、基体１１と一体となってドーム型空間を形成する、複数の害虫侵入用開口部３０又は開口予定部３０ａを有する中空半球状の容器本体１２とから構成するとともに、容器本体１２の外表面の少なくとも一部を、害虫に固有の誘引色に着色し、かつ、捕捉手段２を、基体１１一の表面上で容器本体１２の内部側に配設された粘着剤層２１から構成する。【選択図】図１
2005318843.tif 000002
【特許請求の範囲】
【請求項１】
害虫が内部に侵入可能な容器と、前記容器の内部に侵入した前記害虫を捕捉可能な捕捉手段とを備えた害虫捕獲器であって、
前記容器が、板状の基体と、前記基体の一の表面上に配設され、前記基体と一体となってドーム型空間を形成する、複数の害虫侵入用開口部又は開口予定部を有する中空半球状の容器本体とから構成されるとともに、前記容器本体の外表面の少なくとも一部が、害虫に固有の誘引色に着色されてなり、かつ、
前記捕捉手段が、前記基体一の表面上で前記容器本体の内部側に配設された粘着剤層から構成されてなることを特徴とする害虫捕獲器。
【請求項２】
複数の前記害虫侵入開口部又は開口予定部が、前記容器本体の外表面（曲面）の中腹に形成されたリング形状又は馬蹄形状の平面部に、等間隔に配設されてなる請求項１に記載の害虫捕獲器。
【請求項３】
前記容器本体の内部に、前記害虫に固有の誘引剤及び／又はフェロモン剤が配設されてなる請求項１又は２に記載の害虫捕獲器。
【請求項４】
前記誘引剤及び／又はフェロモン剤が、吸収マットに担持された状態で前記容器本体の内部に配設されてなり、前記誘引剤及び／又はフェロモン剤の放出時間を、前記吸収マットの容積と前記誘引剤及び／又はフェロモン剤の担持量とによって制御することが可能な請求項３に記載の害虫捕獲器。
【請求項５】
前記害虫侵入用開口部又は開口予定部の少なくとも一つが、前記吸収マットを通過させることが可能な大きさを有するものである請求項４に記載の害虫捕獲器。
【請求項６】
前記誘引剤及び／又はフェロモン剤が、前記害虫侵入用開口部又は開口予定部を経由して、吸引手段によって前記吸収マットに担持されてなる請求項４又は５に記載の害虫捕獲器。
【請求項７】
前記害虫侵入用開口部又は開口予定部と前記誘引剤及び／又はフェロモン剤とが、前記害虫の侵入を促進することが可能な気流の流れを形成するように配設されてなる請求項４〜６のいずれかに記載の害虫捕獲器。
【請求項８】
複数の前記開口予定部が、ミシン目によって開口可能に構成されてなり、前記ミシン目を破断することによって前記害虫侵入開口部とすることが可能な請求項４〜７のいずれかに記載の害虫捕獲器。
【請求項９】
前記容器本体の外表面の頂上部に、蓄光材が配設されてなる請求項１〜８のいずれかに記載の害虫捕獲器。
【請求項１０】
前記容器本体及び／又は前記基体が、耐水性紙、生分解性樹脂、汎用樹脂又は金属から構成されてなる請求項１〜９のいずれかに記載の害虫捕獲器。
【請求項１１】
前記基体が、懸架用の孔部を有してなる請求項１〜１０のいずれかに記載の害虫捕獲器。
【発明の詳細な説明】
【技術分野】
【０００１】
本発明は、害虫（有害な昆虫）捕獲器に関する。さらに詳しくは、害虫を捕獲する必要のある、例えば、食品工業、倉庫業、食料・食品販売業、各種料理店の厨房、ハウス・温室、家庭の台所等で有用な、害虫の捕獲性能（捕獲性）及び使い勝手に優れるとともに、使用可能な有効期間が長く、使用範囲や期間に制限がなく、害虫を広範囲から呼び寄せてしまうことのない害虫捕獲器に関する。
【背景技術】
【０００２】
誘引剤及び／又はフェロモン剤を使用した害虫捕獲器としては、古くからハエ等を捕獲するための水トラップが用いられている。しかし、このような水トラップは、ハエ等の捕獲性には優れているものの、捕獲後の後始末が大変であること、長期間放置するとトラップに用いた水等が腐敗して、衛生上好ましくないという問題があった。また、粘着剤を用いた誘引光式トラップや誘引色トラップが用いられている。しかし、このような誘引光式トラップや誘引色トラップは、開放的な構造になっており、用いる場所によっては、粘着面にごみや水が付着したり、人体や、犬、猫等のペットに付着するという問題があった。また、屋外で用いる場合、雨や塵等により粘着剤の粘着性（捕獲性）が低下するため使用範囲や期間が限定されるという問題があった。さらに、誘引剤及び／又はフェロモン剤（例えば、特許文献１参照）を配設したものが用いられている。このような誘引剤及び／又はフェロモン剤を用いるものは、捕獲性に優れているため有用である。
【特許文献１】特開２００３−３０６４０１号公報
【発明の開示】
【発明が解決しようとする課題】
【０００３】
しかしながら、このような誘引剤及び／又はフェロモン剤を用いたものの場合、誘引剤及び／又はフェロモン剤の揮散が激しく、使用可能な有効期間が短いという問題があった。また、その有効範囲は誘引剤及び／又はフェロモン剤が揮散し、害虫が知覚しうる範囲に限定されるため、開放的な場所で用いたり、揮散範囲が狭い（効力が弱い）ものを用いると、捕獲性を低下させてしまうことになり、その反面、誘引剤及び／又はフェロモン剤として揮散範囲が広い（効力が強い）ものを用いると、害虫を広範囲から呼び寄せてしまうことにもなるという二律背反の問題があった。
【０００４】
本発明は、上述の問題を解決するためになされたものであり、害虫の捕獲性能（捕獲性）及び使い勝手に優れるとともに、使用可能な有効期間が長く、使用範囲や期間に制限がなく、害虫を広範囲から呼び寄せてしまうことのない害虫捕獲器を提供することを目的とする。
【課題を解決するための手段】
【０００５】
上記目的を達成するため、本発明によれば、以下の害虫捕獲器が提供される。
【０００６】
［１］害虫が内部に侵入可能な容器と、前記容器の内部に侵入した前記害虫を捕捉可能な捕捉手段とを備えた害虫捕獲器であって、前記容器が、板状の基体と、前記基体の一の表面上に配設され、前記基体と一体となってドーム型空間を形成する、複数の害虫侵入用開口部又は開口予定部を有する中空半球状の容器本体とから構成されるとともに、前記容器本体の外表面の少なくとも一部が、害虫に固有の誘引色に着色されてなり、かつ、前記捕捉手段が、前記基体一の表面上で前記容器本体の内部側に配設された粘着剤層から構成されてなることを特徴とする害虫捕獲器。
【０００７】
［２］複数の前記害虫侵入開口部又は開口予定部が、前記容器本体の外表面（曲面）の中腹に形成されたリング形状又は馬蹄形状の平面部に、等間隔に配設されてなる前記［１］に記載の害虫捕獲器。
【０００８】
［３］前記容器本体の内部に、前記害虫に固有の誘引剤及び／又はフェロモン剤が配設されてなる前記［１］又は［２］に記載の害虫捕獲器。
【０００９】
［４］前記誘引剤及び／又はフェロモン剤が、吸収マットに担持された状態で前記容器本体の内部に配設されてなり、前記誘引剤及び／又はフェロモン剤の放出時間を、前記吸収マットの容積と前記誘引剤及び／又はフェロモン剤の担持量とによって制御することが可能な前記［３］に記載の害虫捕獲器。
【００１０】
［５］  前記害虫侵入用開口部又は開口予定部の少なくとも一つが、前記吸収マットを通過させることが可能な大きさを有するものである前記［４］に記載の害虫捕獲器。
【００１１】
［６］前記誘引剤及び／又はフェロモン剤が、前記害虫侵入用開口部又は開口予定部を経由して、吸引手段によって前記吸収マットに担持されてなる前記［４］又は［５］に記載の害虫捕獲器。
【００１２】
［７］前記害虫侵入用開口部又は開口予定部と前記誘引剤及び／又はフェロモン剤とが、前記害虫の侵入を促進することが可能な気流の流れを形成するように配設されてなる前記［４］〜［６］のいずれかに記載の害虫捕獲器。
【００１３】
［８］複数の前記開口予定部が、ミシン目によって開口可能に構成されてなり、前記ミシン目を破断することによって前記害虫侵入開口部とすることが可能な前記［４］〜［７］のいずれかに記載の害虫捕獲器。
【００１４】
［９］前記容器本体の外表面の頂上部に、蓄光材が配設されてなる前記［１］〜［８］のいずれかに記載の害虫捕獲器。
【００１５】
［１０］前記容器本体及び／又は前記基体が、耐水性紙、生分解性樹脂、汎用樹脂又は金属から構成されてなる前記［１］〜［９］のいずれかに記載の害虫捕獲器。
【００１６】
［１１］前記基体が、懸架用の孔部を有してなる前記［１］〜［１０］のいずれかに記載の害虫捕獲器。
【発明の効果】
【００１７】
本発明によって、害虫の捕獲性能（捕獲性）及び使い勝手に優れるとともに、使用可能な有効期間が長く、使用範囲や期間に制限がなく、害虫を広範囲から呼び寄せてしまうことのない害虫捕獲器が提供される。
【発明を実施するための最良の形態】
【００１８】
以下、本発明を実施するための最良の形態を図面を参照しつつ具体的に説明する。
【００１９】
図１は、本発明の害虫捕獲器の一の実施の形態を模式的に示す正面図であり、図２は、図１に示す害虫捕獲器の一の実施の形態の側面図であり、図３は、図１に示す害虫捕獲器の一の実施の形態のＡ−Ａ線における断面図である。
【００２０】
図１及び図２に示すように、本実施の形態の害虫捕獲器は、害虫が内部に侵入可能な容器１と、容器１の内部に侵入した害虫を捕捉可能な捕捉手段２とを備えた害虫捕獲器１０であって、容器１が、板状の基体１１と、基体１１の一の表面上に配設され、基体１１と一体となってドーム型空間を形成する、複数の害虫侵入用開口部３０又は開口予定部３０ａを有する中空半球状の容器本体１２とから構成されるとともに、容器本体１２の外表面の少なくとも一部が、害虫に固有の誘引色に着色されてなり、かつ、捕捉手段２が、基体１１一の表面上で容器本体１２の内部側に配設された粘着剤層２１から構成されてなることを特徴とするものである。なお、図１においては、基体１１に、懸架用の孔部９０を形成して、懸架して用いる場合を示す。
【００２１】
本実施の形態においては、容器本体１２の外表面の少なくとも一部が害虫に固有の誘引色に着色されてなるため、捕獲性を向上させることができる（誘引剤及び／又はフェロモン剤を併用すると、それとの相乗効果によって、さらに捕獲性を向上させることができる）。また、使用範囲や期間に制限されることなく、使用可能な有効期間を長く保持することができるとともに、害虫を広範囲から呼び寄せてしまうこともない。このような誘引色としては、例えば、蛍光の白色、黄色、青色、水色、桃色等を挙げることができる。誘引色は害虫に固有の色が存在することが知られている。具体的には、ハエ類用に水色、野菜害虫、コナシラミ類用に黄色、アザミウム類用に青色、ミカンキイロアザミウム類用に桃色を挙げることができる。さらに、このような誘引色の顔料及び／又は染料等の色剤に加えて、蛍光剤を添加することが好ましい。紫外線の反射光によってさらに誘引機能を高め、捕獲性を向上させることができる。着色方法としては特に制限はないが、例えば、印刷、塗料の塗布、着色素材や着色粘着シ−トの貼付等を挙げることができる。これらの誘引機能によって引き寄せられた害虫は、半密閉式のド−ム型空間を形成する容器１（基体１１及び容器本体１２）の内部に、複数の害虫侵入用開口部３０又は開口予定部３０ａを経由して侵入し、基体１１一の表面上で容器本体１２の内部側に配設された粘着剤層２１に捕捉されることになる。
【００２２】
本実施の形態に用いられる基体１１及び／又は容器本体１２としては、例えば、上質紙及びポリエチレンテレフタレートを貼り合わせて積層させたもの等の耐水性紙、ポリ乳酸等の生分解性樹脂、ポリプロピレン等の汎用樹脂又はアルミニウム、鉄等の金属からなる金属板（アルミニウム板、鋼板）等から構成されたものを挙げることができる。中でも、廃棄処理が容易であること、水周りの場所や屋外で長期間使用することができること等から、耐水性紙から構成されたものが好ましい。また、生分解性樹脂から構成されたものを用いれば、ハウス・温室等で誤って土壌中に混入させる事態になっても環境に悪影響を与えることがない。
【００２３】
本実施の形態に用いられる容器本体１２の大きさや形状は、捕獲する害虫の大きさや設置する場所に応じて適宜決定することができる。例えば、直径が５０〜３５０ｍｍの中空半球状（ド−ム型）であれば、ショウジョウバエからスズメバチまで捕獲することができる。
【００２４】
本実施の形態に用いられる粘着剤層２１としては、例えば、アクリル樹脂等の合成樹脂系、ポリブテン等の合成ゴム系等の粘着剤から構成されてなるものを挙げることができる。中でも、ポリブテン等の合成ゴム系から構成されてなるものが好ましい。粘着剤層２１を配設する方法としては、例えば、キャレンダー塗工する方法を挙げることができる。粘着剤層２１の厚さとしては、捕獲する害虫の種類にもよるが、例えば、０．０５〜０．１ｍｍとすることが好ましい。粘着剤層２１はド−ム型空間の内部で密封（半密封）された状態で配設されるので、外部の塵埃や水滴によって粘着性が低下するのを防止することができる。
【００２５】
基体１１と容器本体１２とを一体化して容器を作製する方法としては、例えば、容器本体１２の外縁に鍔部１３を設けて、基体１１との間に粘着剤層２１を介在させた状態で固定することを挙げることができる。
【００２６】
粘着剤層２１を基体１１の一の表面上で容器本体１２の内部側に配設する方法としては、例えば、粘着剤層２１の表面に容器本体１２の外縁の鍔部１３を貼着することを挙げることができる。
【００２７】
容器を作製する方法の具体例としては、例えば、耐水性紙（厚紙）を金型（凸型金型及び凹型金型）の間に挟持して圧熱プレスすることによって、鍔部を有するドーム型に成形して作製した容器本体１２を、粘着シート（基材１１に粘着剤を塗布して粘着剤層２１とし粘着剤面に剥離紙を貼付することによって作製される）の剥離紙を剥した粘着剤面に配設することを挙げることができる。
【００２８】
複数の害虫侵入用開口部３０又は開口予定部３０ａを形成する方法としては、例えば、金型の刃で打ち抜き加工又はミシン目加工をする方法を挙げることができる。害虫侵入用開口部又は開口予定部３０の大きさは、直径が３〜１５ｍｍ程度であることが好ましく、５ｍｍ〜７ｍｍがさらに好ましい。設置個数は、大きさにもよるが、３〜１０個が好ましい。
【００２９】
本実施の形態においては、複数の害虫侵入開口部３０又は開口予定部３０ａが、容器本体１２の外表面（曲面）の中腹に形成されたリング形状又は馬蹄形状の平面部４０に、等間隔に配設されてなることが好ましい。なお、図１においては、平面部４０を馬蹄形状に配設するとともに、害虫侵入開口部３０又は開口予定部３０ａを８個配設した場合を示している。
【００３０】
このように構成することによって、屋外で、後述する懸架用の孔部９０によって、懸架して用いる場合、雨天の時であっても、雨水が内部に流れ込むのを防止することができる。
【００３１】
本実施の形態においては、容器本体１２の内部に、害虫に固有の誘引剤及び／又はフェロモン剤５０を配設することが好ましい。図１〜図３においては、誘引剤及び／又はフェロモン剤５０を配設した場合を示している。このような誘引剤及び／又はフェロモン剤５０としては、例えば、捕獲する害虫の種類に応じた醗酵物、フェロモン剤等を挙げることができる。具体的には、ハエ類用として柑橘類の発酵物及び「トリコセン」フェロモン剤、野菜害虫、貯蔵食品害虫用として穀物類の醗酵物、コナシラミ類用としてキューリ、トマトの醗酵物、アザミウム類用としてバラ等の花木類の醗酵物、ミカンキイロアザミウム類用としてイチゴの醗酵物等を挙げることができる。また、殺虫成分等を配合しておいてもよい。誘引剤及び／又はフェロモン剤５０は、容器１の内部のドーム型空間に貯蔵されて充満し、揮散ガスとして害虫侵入用開口部３０から徐々に拡散される。
【００３２】
このように構成することによって、捕獲性を向上させることができるとともに、使用可能な有効期間を長く保持することができる。
【００３３】
本実施の形態においては、誘引剤及び／又はフェロモン剤５０が、吸収マット６０に担持された状態で容器本体１２の内部に配設されてなり、誘引剤及び／又はフェロモン剤５０の放出時間を、吸収マット６０の容積と誘引剤及び／又はフェロモン剤５０の担持量とによって制御することが可能なものであることが好ましい。吸収マット６０とは、吸収基材を積層フィルムでピロ包装したものを意味する。ピロ包装は、誘引剤及び／又はフェロモン剤５０の揮散量を制御することが可能な開口部を有するものが好ましい。このような吸収マット６０としては、誘引剤及び／又はフェロモン剤５０の担持性に優れるものであれば特に制限はないが、例えば、不織布性パルプ、積層板、脱綿、スポンジ、不織布、高分子性吸収剤等からなるものを挙げることができる。このような吸収マット６０は、例えば、粘着剤層２１に固定されて用いられるので、誘引剤及び／又はフェロモン剤５０の外部への漏出を防止することができる。吸収マット６０は、使用する前から容器１の内部に配設してもよく、使用時に、後述する大型開口部３０Ｃから挿入して配設してもよい。配設場所としては特に制限はないが、例えば、粘着剤層２１における、平面部４０の馬蹄形状が先端で開いている領域に対向する部位を挙げることができる。
【００３４】
このように構成することによって、使い勝手及び捕獲性を向上することができるとともに、使用可能な有効期間を長く保持することができる。
【００３５】
本実施の形態においては、害虫侵入用開口部３０又は開口予定部３０ａの少なくとも一つが、吸収マット６０を通過させることが可能な大きさを有するものであるものであることが好ましい。図１〜図３においては、このような例を、容器本体１２の外表面（曲面）の中腹の楕円形状面３０ｃに形成した大型開口部３０ｂとして示している。大型開口部３０ｂは、図１〜図３に示すように、楕円形状面３０ｃに配設してもよく、上述のリング形状又は馬蹄形状の平面部４０に配設してもよい。また、大型開口部３０ｂの大きさは、直径が３０〜７０ｍｍが好ましく、４０〜５０ｍｍがさらに好ましい。なお、楕円形状面３０ｃは、楕円形状の平面部になっており、屋外で、後述する懸架用の孔部９０等によって、懸架して用いる場合、雨天の時であっても、雨水が内部に流れ込むのを防止することができる。
【００３６】
このように構成することによって、吸収マット６０の形状及び大きさを、使用状況に合わせて適宜設定することができる。
【００３７】
本実施の形態においては、誘引剤及び／又はフェロモン剤５０が、害虫侵入用開口部３０もしくは開口予定部３０ａ又は大型開口部３０ｂを経由して、吸引手段７０によって吸収マット６０に担持されてなるものであることが好ましい。吸引手段７０としては、例えば、ポリエチレン等の軟質樹脂製スポイト等を挙げることができる。このような軟質樹脂製スポイトは、使用の時に、細い注入ノズルの先をカッタやハサミでカットして誘引剤及び／又はフェロモン剤５０を押出す構造のものが好ましい。図３においては、吸引手段７０としてポリエチレン製スポイトを用いた場合を示している。この場合、使用する前は、誘引剤及び／又はフェロモン剤５０を容器１の内部に配設せずに、使用する時に、害虫侵入用開口部３０もしくは開口予定部３０ａ又は大型開口部３０ｂを経由して、吸引手段（例えば、ポリエチレン製スポイト）７０中に充填された誘引剤及び／又はフェロモン剤５０を、容器１の内部又は吸収マット６０に注入して配設することが好ましい。また、吸引手段７０を用いずに、ゲル化した誘引剤及び／又はフェロモン剤５０を、害虫侵入用開口部３０もしくは開口予定部３０ａ又は大型開口部３０ｂを経由して、容器１の内部に直接投入してもよい。
【００３８】
このように構成することによって、使用可能な有効期間を長く保持することができるとともに、捕獲性を向上させることができる。
【００３９】
本実施の形態においては、害虫侵入用開口部３０又は開口予定部３０ａと誘引剤及び／又はフェロモン剤５０とが、害虫の侵入を促進することが可能な気流の流れを形成するように配設されてなるものであることが好ましい。例えば、誘引剤及び／又はフェロモン剤５０を効率よく外部に拡散させるように、隣接する害虫侵入用開口部３０相互間で気流が抜けるような構造とすることが好ましい。また、誘引剤及び／又はフェロモン剤５０を均一に拡散させて誘引効果を高めるため、容器１の内部のド−ム型空間に上述の馬蹄形状の平面部４０で形成されたくびれ部分に誘引剤及び／又はフェロモン剤５０の揮散気体が貯留する構造とすることが好ましい。このように配設することによって、誘引剤及び／又はフェロモン剤５０は、害虫侵入用開口部３０から効率よく継続的に揮散され、害虫侵入用開口部３０から容易に容器１の内部に害虫が誘引され、粘着剤層２１に捕捉されることになる。
【００４０】
このように構成することによって、捕獲性を向上させることができるとともに、使用可能な有効期間を長く保持することができる。
【００４１】
本実施の形態においては、複数の開口予定部３０ａが、ミシン目（図示せず）によって開口可能に構成されてなり、ミシン目を破断することによって害虫侵入開口部３０とすることが可能なものであることが好ましい。すなわち、実際に使用する時に、開口予定部３０ａのミシン目を破断して開口させて、害虫侵入開口部３０を形成できるようにすることが好ましい。
【００４２】
このように構成することによって、環境状態（例えば、激しい風雨の日や埃が舞っている場所等）に応じて、害虫侵入開口部３０の配設個数を調節することができる。このため、使用可能な有効期間を長く保持することができるとともに、使用範囲や期間に制限がなくなり、害虫を広範囲から呼び寄せてしまうこともない。特に、誘引剤及び／又はフェロモン剤５０を用いる場合は、その揮散を制御して捕獲性を向上させることができる。
【００４３】
本実施の形態においては、容器本体１２の外表面の頂上部に、蓄光材８０が配設されてなるものであることが、夜間における害虫の誘引を促進する点で好ましい。このような蓄光材８０としては、例えば、蓄光インキで印刷すること、蓄光ラベルでマ−キングすること等を挙げることができる。このような蓄光材８０は、例えば、メーカー名、ブランド名等を表示するものであってもよく、風水等の模様を構成して配設してもよい。
【００４４】
このように構成することによって、照明を消灯した後でも数時間発光して、害虫を誘引することができ、夜間における捕獲性を向上させることができる。また、メーカー名、ブランド名等を表示したり、風水等の模様を構成して配設することによって所望の付加情報、付加価値等を付与することができる。
【００４５】
本実施の形態においては、基体１１が、懸架用の孔部９０を有してなるものであることが好ましい。懸架用の孔部９０を形成する代わりに、図２に示すように、両面テープ９１を用いて懸架するようにしてもよい。両面テープ９１は伸縮性を有するものであることが好ましい。
【００４６】
このように構成することによって、使い勝手を向上させることができる。例えば、食品工場や厨房等において、壁面のフックに懸架して用いることができる。壁面に両面テ−プで貼付して用いてもよい。また、家庭の台所の残飯入れ付近、研究所では、机等に載置して用いてもよい。本実施の形態においては、使用の状態がどのような場合であっても、誘引剤及び／又はフェロモン剤５０が傾き等によって、容器１から漏出することはない。
【実施例】
【００４７】
以下、本発明を実施例によってさらに具体的に説明するが、本発明はこれらの実施例によって何ら限定されるものではない。
【００４８】
（実施例１）
容器本体として、一辺が１００ｍｍの８角形状の鍔部の上に、半径が８０ｍｍの半球体を重ねた形状の耐水性紙（大協技研工業社製、商品名：ＩＶＰ−ＵＤ）を用いるともに、基体及び粘着剤層として、基体の一の表面上に、粘着剤層の厚さが０．０７ｍｍとなるように捕虫用粘着剤が塗布された粘着シート（ニチバン社製、商品名：マスカピ）を、その面積が１７６ｃｍ2となるように切断したものを用いた。なお、容器本体の外表面の中腹に幅が１２ｍｍの馬蹄形状の平面部を形成し、この平面部に直径が７ｍｍの害虫用開口部を８個と、直径が１２ｍｍの大型開口部を１個を予め配設しておいた。上述の容器本体と粘着シートとを貼着させて一体化加工し、容積が１３０ｃｍ3、高さが３ｃｍ、直径が１５ｃｍの容器を得た。この容器の表面全体をスプレー塗装によって黄色に着色した。このようにして、吸収マット及び誘引剤等を配設していないこと以外は図１に示す形状ど同一形状の害虫捕獲器を得た。
【００４９】
得られた害虫捕獲器を、小バエが飛んでいるラ−メン店の残飯置場に設置して、捕獲性の試験を実施した。設置方法としては、残飯入れのポリバケツの上に「水平置き」した場合と、近くの壁に吊り下げて「壁掛け」とした場合の２つの方法を用い、それぞれ別々に一昼夜及び７日間放置して、捕獲された害虫（小バエ）の数を数えた。その結果を表１に示す。
【００５０】
（比較例１）
実施例１において、容器の表面全体をスプレー塗装によって黄色に着色しなかったこと以外は実施例１と同様にした。実施例１と同様にして、この害虫捕獲器の捕獲性の試験を実施した。その結果を表１に示す。
【００５１】
（比較例２）
ポリブテン系の粘着剤が塗布された市販の黄色害虫捕獲粘着シ−トを用いた。なお、この黄色害虫捕獲粘着シ−トは実施例１の害虫捕獲器の有効面積と同一するために１７６ｃｍ2の円形にカットした。実施例１と同様にして、この黄色害虫捕獲粘着シ−トの捕獲性の試験を実施した。その結果を表１に示す。
【００５２】
【表１】
2005318843.tif 000003
【００５３】
表１に示すように、実施例１の方が、比較例１〜２に比べて捕獲性に優れていることがわかる。これは、実施例１の場合、誘引色に着色したことによって、着色しなかった比較例１の場合に比べて誘引効果を発揮したこと、また、実施例１の場合、ドーム型であり、ドームを有しない比較例２の場合に比べて、害虫の隙間を有する空間に入り込もうとする習性に適合したことによるものと考えられる。また、捕獲性に関しては、「壁掛け」の場合の方が「水平置き」の場合よりも、気流の流れがよい（誘引剤の拡散がよい）ことから、若干優れていることがわかる。
【００５４】
（実施例２）
容器の内部（粘着剤層の表面）に、さらに、吸収マットとして１５ｃｍ3の不織布パルプ（王子キノクロス社製、商品名：ハトシート）を配設したものを作製した。なお、吸収マットは、容器本体と粘着シートとを貼着させて一体化加工する前に粘着シートの表面に予め配設しておいた。次いで、誘引剤として１２ｍＬのハエ用誘引液（ストップ・エス・クリーン社製、商品名：クリーン・サポートＦ）を、ポリエチレン製スポイト（ゼネラル科学貿易社製、商品名：目盛り付きピペット）を用いて大型開口部を経由して吸収マットに注入した。このようにして、図１に示す形状の害虫捕獲器を得た。実施例１と同様にして、この害虫捕獲器の捕獲性の試験を実施した。なお、放置時間が７日間の試験では、途中１回誘引剤及び／又はフェロモン剤を補填した。その結果を表２に示す。
【００５５】
（比較例３）
比較例２において、実施例２で用いたのと同様の吸収マット及び誘引剤をさらに用いたこと以外は、比較例１の場合と同様にした。この黄色害虫捕獲粘着シ−トの捕獲性の試験を実施した。その結果を表２に示す。
【００５６】
【表２】
2005318843.tif 000004
【００５７】
表２に示すように、同じように誘引剤を用いた場合であっても、ドーム型の容器を用いた実施例２で得られた害虫捕獲器の方が、比較例３で得られた黄色害虫捕獲粘着シ−トよりも捕獲性に優れることがわかる。
【００５８】
（比較例４）
市販されている紫外線ランプ使用の害虫捕獲器を用いた。なお、そこで用いられている粘着シ−トの面積を実施例１の場合（１７６ｃｍ3）と同一の１７６ｃｍ3にした。この紫外線ランプ付害虫捕獲器は壁掛けタイプのため、実施例２と同じ設置場所で、壁に掛けて捕獲性試験を実施した。その結果を、上述の実施例２の場合とともに表３に示す。
【表３】
2005318843.tif 000005
【００５９】
表３に示すように、実施例２の場合、比較例４の場合よりも、捕獲性が高いことがわかる。これは、比較例４の場合、昼間における紫外線ランプ効果が低下するためであると考えられる。
【産業上の利用可能性】
【００６０】
本発明の害虫捕獲器は、害虫の発生を防止する必要のある、各種産業分野、例えば、食品工業、倉庫業、食料・食品販売業、各種料理店の厨房、ハウス・温室、家庭の台所等で有効に用いられる。
【図面の簡単な説明】
【００６１】
【図１】本発明の害虫捕獲器の一の実施の形態を模式的に示す正面図である。
【図２】図１に示す害虫捕獲器の一の実施の形態の側面図である。
【図３】図１に示す害虫捕獲器の一の実施の形態のＡ−Ａ線における断面図である。
【符号の説明】
【００６２】
１…容器、２…捕捉手段、１０…害虫捕獲器、１１…基体、１２…容器本体、１３…鍔部、２１…粘着剤層、３０…害虫侵入用開口部、３０ａ…開口予定部、３０ｂ…大型開口部、３０ｃ…楕円形水平面、４０…平面部、５０…誘引剤及び／又はフェロモン剤、６０…吸収マット、７０…吸引手段（スポイト）、８０…蓄光材、９０…孔部、９１…両面テープ。
【図１】
2005318843.tif 000006
【図２】
2005318843.tif 000007
【図３】
2005318843.tif 000008